(57)【要約】【課題】  操作性・メンテナンス性に優れ、かつ、高信頼度な指紋照合装置を提供する。【解決手段】  指紋センサー１、指紋センサー１の表面に配置される汚れ付着防止膜２、巻回された汚れ付着防止膜２を移動させる巻き取り用ローラー３、巻き取り用ローラー３を回転駆動するローラー駆動部４、巻き取り用ローラー３の近傍に配置され、汚れ付着防止膜２の表面に付着した汚れを除去するための膜クリーナ５と、予め複数の指紋データが登録されている指紋データ記憶装置６と、指紋センサー１によって読み取られた指紋データと指紋データ記憶装置６に予め登録されている指紋データを照合すると共に、指紋画像の汚れ部分の面積が所定の設定値以上になっているか否かの判定を行い、判定結果に応じてローラー駆動部４の動作を制御する処理部７を備える。【選択図】図２
2005115540.tif 000002
【特許請求の範囲】
【請求項１】
指紋データを採取するための指紋センサー、上記指紋センサーの表面に配置される汚れ付着防止膜、上記汚れ付着防止膜が巻回され、巻回された上記汚れ付着防止膜を指紋センサーの表面において移動させる巻き取り用ローラー、上記巻き取り用ローラーを回転駆動するローラー駆動部、上記巻き取り用ローラーの近傍に配置され、上記汚れ付着防止膜の表面に付着した汚れを除去するための膜クリーナからなる指紋読取部と、
予め複数の指紋データが登録されている指紋データ記憶装置と、
上記指紋読取部の上記指紋センサーによって読み取られた指紋の画像処理、上記指紋センサーによって読み取られた指紋データと上記指紋データ記憶装置に予め登録されている指紋データを照合すると共に、上記指紋センサーによって読み取られた指紋画像の汚れ部分の面積を確認し、汚れ部分の面積が所定の設定値以上になっているか否かの判定処理を行い、判定結果に応じて上記ローラー駆動部の動作を制御する処理部と、
上記汚れ付着防止膜の汚れている状態を示す画像や、上記処理部における指紋データの照合結果を表示する表示部を備えたことを特徴とする指紋照合装置。
【請求項２】
上記処理部は、上記巻き取り用ローラーが上記汚れ付着防止膜を最後まで巻き取ったか否かの判定処理も行い、判定結果に応じて上記ローラー駆動部による上記巻き取り用ローラーの回転方向を制御すること特徴とする請求項１に記載の指紋照合装置。
【請求項３】
上記指紋読取部は、一体型のカートリッジとなっていることを特徴とする請求項１または２に記載の指紋照合装置。
【請求項４】
上記処理部は、上記カートリッジの使用回数を検出し、カートリッジの使用回数が所定の値を越えると、上記表示部にカートリッジ交換のアラーム表示をすることを特徴とする請求項３に記載の指紋照合装置。
【発明の詳細な説明】
【技術分野】
【０００１】
本発明は、入力された指紋データと予め登録されている指紋データを照合する指紋照合装置に係わり、特に、汚れ付着防止膜付きの指紋読取部を有した指紋照合装置に関する。
【背景技術】
【０００２】
例えば、特許文献１（特開２００１−１５５１５０号公報）には、「指紋読取部によって入力された指紋データと予め指紋データ記憶装置に登録されている指紋データを指紋照合手段によって照合し、照合の度合いを示す照合率が最大となった指紋候補を抽出する指紋照合手段と、この指紋候補の照合率が最大値を含む所定値以内であれば、入力された指紋データとこの指紋候補の照合が一致すると判定する指紋判定手段とを備えた」従来の指紋照合装置が示されている。
【特許文献１】特開２００１−１５５１５０号公報（図１）
【発明の開示】
【発明が解決しようとする課題】
【０００３】
従来の指紋照合装置における指紋読取部には、指紋センサーの汚れを自動的に検知し、除去する機構がないので、指紋センサーが汚れた際に、正しく指紋を読み取ることが出来なかったり、以前に指を置いた人の油分などから残留指紋を撮って、指の指紋を偽造される恐れがあった。
そのため、指紋照合装置の管理者は、常に指紋読取部における指紋センサーの表面汚れ
をチェックし、表面をクリーナで清掃するなどの点検・保守が必要であった。
【０００４】
この発明は、上述のように問題点を解決するためになされたもので、指紋センサーの汚れを自動的に検知して汚れを除去できる、操作性・メンテナンス性に優れた指紋照合装置を提供することを目的とする。
【課題を解決するための手段】
【０００５】
この発明に係る指紋照合装置は、指紋データを採取するための指紋センサー、上記指紋センサーの表面に配置される汚れ付着防止膜、上記汚れ付着防止膜が巻回され、巻回された上記汚れ付着防止膜を指紋センサーの表面において移動させる巻き取り用ローラー、上記巻き取り用ローラーを回転駆動するローラー駆動部、上記巻き取り用ローラーの近傍に配置され、上記汚れ付着防止膜の表面に付着した汚れを除去するための膜クリーナからなる指紋読取部と、予め複数の指紋データが登録されている指紋データ記憶装置と、
上記指紋読取部の上記指紋センサーによって読み取られた指紋の画像処理、上記指紋センサーによって読み取られた指紋データと上記指紋データ記憶装置に予め登録されている指紋データを照合すると共に、上記指紋センサーによって読み取られた指紋画像の汚れ部分の面積を確認し、汚れ部分の面積が所定の設定値以上になっているか否かの判定処理を行い、判定結果に応じて上記ローラー駆動部の動作を制御する処理部と、上記汚れ付着防止膜の汚れている状態を示す画像や、上記処理部における指紋データの照合結果を表示する表示部を備えたものである。
【発明の効果】
【０００６】
この発明によれば、処理部は、指紋センサーによって読み取られた指紋画像の汚れ部分の面積を確認し、汚れ部分の面積が所定の設定値以上になっているか否かの判定処理を行い、判定結果に応じてローラー駆動部の動作を制御して汚れ付着防止膜クリーニングしながら移動するので、指紋センサーの汚れを自動的に検知し、除去することが可能となり、操作性・メンテナンス性に優れた高信頼度な指紋照合装置を実現できる。
【発明を実施するための最良の形態】
【０００７】
実施の形態１．
図１は、実施の形態１による指紋照合装置の構造を概念的に示すである。
図において、１は指紋センサー、２は指紋センサー１の表面（指が押し付けられる面）に摺動可能に配置されるテープ状の汚れ付着防止膜である。
３は汚れ付着防止膜２が巻回され、巻回された汚れ付着防止膜２を、指紋センサー１の表面において矢印Ａ方向あるいはその反対方向に移動させるための巻き取り用ローラー、４は巻き取り用ローラー３を回転駆動するためのローラー駆動部、５は巻き取り用ローラー３の近傍に配置され、巻き取り用ローラー３によって移動させられる汚れ付着防止膜２の表面に付着した汚れを除去するための膜クリーナである。
これら、指紋センサー１、汚れ付着防止膜２、巻き取り用ローラー３、ローラー駆動部４、膜クリーナ５などにより、指紋読取部が構成されている。
【０００８】
また、７は指紋センサー１によって読み取られた指紋の画像処理をしたり、指紋センサー１によって読み取られた指紋データと後述する指紋データ記憶装置６に予め登録されている指紋データを照合する処理部である。
なお、該処理部７は、指紋センサー１によって読み取られた指紋画像の汚れ部分（即ち、指紋センサー１によって読み取られた指紋画像が汚れ付着防止膜２の汚れのために不鮮明となっている部分）の面積を確認（計算）し、汚れ部分の面積が所定の設定値以上になっているか否かの判定処理も行う。
また、８は表示部であり、汚れ付着防止膜２の汚れている状態を示す画像を表示したり、処理部７における指紋データの照合結果などを表示する。
また、１０は、指紋センサー１上の汚れ付着防止膜２に押し付けられる指である。
【０００９】
図２は、図１に示した指紋照合装置の構成を模式的に示した図である。
図に示すように、汚れ付着防止膜２、巻き取り用ローラー３、膜クリーナ５は、一体型のカートリッジ２０として構成されており、このカートリッジ２０は容易に交換可能な構造（即ち、着脱可能な構造）をしている。
このカートリッジ２０を装着することにより、指紋センサー１の表面を汚れ付着防止膜２で被い、汚れ付着防止膜２に付着する汚れや残留指紋などの原因となる指の油分を、指紋センサー１の表面に直接付着するのではなく、汚れ付着防止膜２に付着させる。
そして、汚れ付着防止膜２が汚れた際は、巻き取り用ローラー３によって汚れ付着防止膜２を巻き取り、汚れていない部分を使用する。
汚れ付着防止膜２は、膜クリーナ５によって汚れや油分が除去され、再利用可能となるが、一定回数以上再両された場合は、汚れ付着防止膜２、巻き取り用ローラー３、膜クリーナ５からなるカートリッジ２０ごと取り替える。
なお、６は予め複数の諮問データが登録されている諮問データ記憶装置である。
【００１０】
図３は、本実施の形態による指紋照合装置における特徴的な動作を説明するためのフローチャートである。
図３のフローチャートを用いて、本実施の形態による指紋照合装置の動作を説明する。
いま、カートリッジ２０が交換されたばかりの状態からスタートするものとする。
このとき、カートリッジの使用回数は０である。（ステップＳ１０１）
指紋照合（ステップ１０２）を終える毎に、手垢や油分などによって汚れ付着防止膜２に汚れが蓄積し、指紋センサー１によって読み取られた画像に汚れが映り込み、汚れが蓄積する。（ステップＳ１０３）
処理部７によって、指紋センサー１によって読み取られた指紋画像の汚れ部分の面積を確認（計算）し（ステップＳ１０４）、汚れ部分の面積が所定の設定値以上になっているか否かの判定処理を行う。（ステップＳ１０５）
【００１１】
汚れ部分の面積が所定の設定値以上でなければ、ステップ１０２に戻り、指紋照合を続ける。
汚れ部分の面積が所定の設定値以上であれば、巻き取り用ローラー３を駆動し、汚れ付着防止膜２を所定長さ（即ち、汚れ部分がなくなるまでの所定長さ）巻き取る。（ステップＳ１０６）
そして、汚れ付着防止膜２が最後まで巻き取られたか否かを判定し（ステップＳ１０７）、汚れ付着防止膜２が最後まで巻き取られた場合は巻き取り用ローラー３の回転方向を反対に設定する（ステップＳ１０８）と共に、カートリッジの使用回数を＋１する。（ステップＳ１０９）
【００１２】
ステップＳ１０７において、汚れ付着防止膜２が最後まで巻き取られていなければ、動作を終了するか、ステップ１０２に戻り、指紋照合を再会する。
次ぎに、カートリッジ２０の使用回数が所定の設定回数以上であるか否かを判定する。（ステップＳ１１０）
そして、カートリッジ２０の使用回数が所定の設定回数以上であれば、カートリッジ交換のアラーム表示を表示部８に表示させる。（ステップＳ１１１）
カートリッジ２０の使用回数が所定の設定回数以下であれば、動作を終了するか、ステップ１０２に戻り、指紋照合を再会する。
なお、ステップＳ１０１からステップＳ１１１のプロセスは、自動的に処理されるものである。
【００１３】
以上説明したように、この発明による指紋照合装置は、指紋データを採取するための指紋センサー１、指紋センサー１の表面に配置される汚れ付着防止膜２、汚れ付着防止膜２が巻回され、巻回された汚れ付着防止膜２を指紋センサー１の表面において移動させる巻き取り用ローラー３、巻き取り用ローラー３を回転駆動するローラー駆動部４、巻き取り用ローラー３の近傍に配置され、汚れ付着防止膜２の表面に付着した汚れを除去するための膜クリーナ５からなる指紋読取部と、予め複数の指紋データが登録されている指紋データ記憶装置６と、指紋読取部の指紋センサー１によって読み取られた指紋の画像処理、指紋センサー１によって読み取られた指紋データと指紋データ記憶装置６に予め登録されている指紋データを照合すると共に、指紋センサー１によって読み取られた指紋画像の汚れ部分の面積を確認し、汚れ部分の面積が所定の設定値以上になっているか否かの判定処理を行い、判定結果に応じてローラー駆動部４の動作を制御する処理部７と、汚れ付着防止膜２の汚れている状態を示す画像や、処理部７における指紋データの照合結果を表示する表示部８を備えている。
これにより、操作性・メンテナンス性に優れ、かつ、自動的に常に指紋センサーの表面を清浄な状態に保てる高信頼度な指紋照合装置を実現できる。
【００１４】
また、この発明による指紋照合装置の処理部７は、巻き取り用ローラー３が汚れ付着防止膜２を最後まで巻き取ったか否かの判定処理も行い、判定結果に応じてローラー駆動部４による巻き取り用ローラー３の回転方向を制御する。
従って、汚れ付着防止膜２が最後まで巻き取られると、自動的に巻き取り用ローラーの回転方向が反対に設定することが可能となり、さらに、操作性・メンテナンス性に優れた指紋照合装置を実現できる。
【００１５】
また、この発明による指紋照合装置の指紋読取部は、一体型のカートリッジ２０となっているので、汚れ付着防止膜２を含むカートリッジの交換を作業性よく容易に行える。
【００１６】
また、この発明による指紋照合装置の処理部は、カートリッジの使用回数を検出し、カートリッジの使用回数が所定の値を越えると、上記表示部にカートリッジ交換のアラーム表示をするので、カートリッジ交換の時期を確実、かつ容易に知ることができる。
【産業上の利用可能性】
【００１７】
本発明は、指紋センサーの表面に汚れ付着防止膜を配置した指紋照合装置に関し、特に、操作性・メンテナンスよく、常に、汚れ付着防止膜の表面を清浄に保つことのできる指紋照合装置に有用である。
【図面の簡単な説明】
【００１８】
【図１】実施の形態１による指紋照合装置の構造を概念的に示すである。
【図２】実施の形態１による指紋照合装置の構成を模式的に示した図である。
【図３】実施の形態１による指紋照合装置の動作を説明するためのフローチャートである。
【符号の説明】
【００１９】
１  指紋センサー１
２汚れ付着防止膜
３  巻き取り用ローラー
４  ローラー駆動部
５  膜クリーナ
６  指紋データ記憶装置
７  処理部
８  表示部
【図１】
2005115540.tif 000003
【図２】
2005115540.tif 000004
【図３】
2005115540.tif 000005